(57)【要約】  【課題】  デザイン性を損なうことなく腕の動きへの追随性に優れた袖付けをした作業用ユニフォームの上衣を提供する。  【解決手段】  アームホール(４)に脇下マチ部(５)を有する作業用ユニフォーム上衣での袖つけ部分において、袖山中央線よりも前身頃側に位置する袖(３)の下半部と前身頃(１)との間に位置する前脇下マチ部(５Ｆ)よりも、袖山中央線よりも後身頃側に位置する袖(３)の下半部分と後身頃(２)との間に位置する後脇下マチ部(５Ｂ)を大きく形成する。前脇下マチ部(５Ｆ)と後脇下マチ部(５Ｂ)とに配置するマチ布(５)をそれぞれ伸縮性に富むニット素材で形成する。前脇下マチ部(５Ｆ)に配設したマチ布(５)の伸縮方向を上下方向に形成するとともに後脇下マチ部(５Ｂ)に配置したマチ布(５)の伸縮方向を左右方向に形成する。【選択図】    図１
2006002306.tif 000002
【特許請求の範囲】
【請求項１】
前後の身頃部分(１)(２)と袖(３)との接合部に形成されるアームホール(４)に、脇下マチを配置した衣服おいて、
袖山中央線よりも前身頃側に位置する袖(３)の下半部と前身頃(１)との間に位置する前脇下マチ部(５Ｆ)よりも、袖山中央線よりも後身頃側に位置する袖(３)の下半部分と後身頃(２)との間に位置する後脇下マチ部(５Ｂ)を大きく形成し、前脇下マチ部(５Ｆ)と後脇下マチ部(５Ｂ)とに配置するマチ布(５)をそれぞれ伸縮性に富むニット素材で形成し、前脇下マチ部(５Ｆ)に配置したマチ布(５)の伸縮方向を上下方向に形成するとともに後脇下マチ部(５Ｂ)に配置したマチ布(５)の伸縮方向を左右方向に形成したことを特徴とする作業用ユニフォームの上衣。
【請求項２】
袖(３)が前身頃側から袖山中心線を越えて後身頃側まで延びる前袖(３Ｆ)と、後ろ身頃側の下半部に対応する後袖(３Ｂ)とで構成した二枚袖である請求項１に記載した作業用ユニフォームの上衣。
【発明の詳細な説明】
【技術分野】
【０００１】
本発明は、作業用ユニフォームの上衣に関し、特に、腕を前後・左右・上下のあらゆる方向に動かしても違和感を感じない運動性に優れた袖を有する作業用ユニフォームの上衣に関する。
【背景技術】
【０００２】
袖を有する衣服の場合、腕の動きを阻害しないことが求められ、特に、作業用のユニフォームでは、腕の動きを阻害しないことが、重要な要件の一つになっている。
【０００３】
従来、このような腕の動きを阻害しないようにする衣服として、前後の身頃部分と、袖との接続部に形成されるアームホールに袖の下方から、上方に向かって囲んだ三日月形の脇下マチを取り付けたものが提案されている(特許文献１)。また、衣服内外での換気性(通気性)を保つために、脇下部をメッシュ素材で形成したものも提案されている。
【特許文献１】特開平９−３１０２１３号
【発明の開示】
【発明が解決しようとする課題】
【０００４】
ところが、前述従来のものでは、脇下マチに使用するあて布は身頃部分等に使用している天然繊維、化学繊維、合成繊維等で織成した織地と共布で構成してあった。また、メッシュ素材で形成したものでも、メッシュ素材は、通気性のみを考慮して伸縮性についてはさほど考慮していないことから、十分な伸縮性は望なかった。このため、前記従来のものでは、マチの有る分だけ腕の動きに追随することはできるが、マチ布自体に伸縮性が乏しいことから、追随性が十分でなく、十分な活動性を確保するには、大きな面積のマチが必要となり、デザイン性を損なう惧れがあった。
【０００５】
本発明は、このような点に着目して発明されたもので、デザイン性を損なうことなく肩や腕の動きへの追随性に優れた袖付けをした作業用ユニフォームの上衣を提供することを目的とする。
【課題を解決するための手段】
【０００６】
本発明は、腕の動きに確実に追随することができ、かつデザイン性も損なわない作業用ユニフォームの上衣を提供することを目的とし、そのために、アームホールに脇下マチ部を有する作業用ユニフォームの上衣において、袖山中央線よりも前身頃側に位置する袖部の下半部と前身頃との間に位置する前脇下マチ部よりも、袖山中央線よりも後身頃側に位置する袖部の下半部分と後身頃との間に位置する後脇下マチ部を大きく形成し、前脇下マチ部と後脇下マチ部とに配置するマチ布をそれぞれ伸縮性に富むニット素材で形成し、前脇下マチ部に配置したマチ布の伸縮方向を上下方向に形成するとともに後脇下マチ部に配置したマチ布の伸縮方向を左右方向に形成したことを特徴とするものである。
【発明の効果】
【０００７】
本発明では、アームホールに脇下マチ部を有する作業用ユニフォーム上衣での袖つけ部分において、袖山の中心線よりも前身頃に位置する袖の下半部分と前身頃との間に挿入するマチ素材の大きさよりも、袖山の中心線よりも後身頃に位置する袖の下半部分と後身頃との間に挿入するマチ素材の大きさを大きく形成し、前脇下マチ部と後脇下マチ部とに配置するマチ布をそれぞれ伸縮性に富むニット素材で形成し、前脇下マチ布の伸縮方向を上下方向に形成するとともに後脇下マチ布の伸縮方向を左右方向に形成していることから、特に作業用ユニフォームに求められている体側前面での腕の曲げ伸ばしに起因する背中側の伸縮や腕の上げ下ろしに起因する袖付け部の伸縮を十分に吸収できることになって、デザイン性を損なうことなく肩及び腕の動きへの追随性に優れた袖付けをした作業用ユニフォームを提供することができる。
【発明を実施するための最良の形態】
【０００８】
図は本発明の一実施形態を示し、図１は作業用ユニフォーム上衣としての作業衣の正面図、図２は作業衣の背面図である。この作業衣は、前身頃(１)と後身頃(２)及び袖(３)とを有している。
【０００９】
前身頃(１)は左右の身頃部分(１Ｌ)(１Ｒ)で構成されており、正面中央部で打合わせ係合するようにしてある。後身頃(２)は上部の左端から右端に至る肩パーツ(２Ｓ)と中央パーツ(２Ｃ)と中央パーツ(２Ｃ)の左右に位置する脇パーツ(２Ｌ)(２Ｒ)とで形成してある。また、袖(３)は袖部が前身頃側から袖山中心線を越えて後身頃側まで延びる前袖(３Ｆ)と、後ろ身頃側の下半部に対応する後袖(３Ｂ)とで構成してある。
【００１０】
前後の身頃(１)(２)には袖を取り付けるためのアームホール(４)は袖(３)の袖山線形状よりも下側が大きく刳ってあり、前後身頃(１)(２)と袖(３)との接合部分にはマチ布(５)が配置してある。
【００１１】
マチ布(５)は、図３に示すように、前身頃(１)と前袖(３Ｆ)との間に配設する前脇下マチ部(５Ｆ)と、後身頃(２)と後袖(３Ｂ)との間に配設する後脇下マチ部(５Ｂ)との２ピースで構成してある。後脇下マチ部(５Ｂ)は前袖(３Ａ)よりも袖丈を短く形成した後袖(３Ｂ)の身頃側端部と後身頃(２)のアームホール(４)の下半部との間及び前袖(３Ａ)の袖縫合線に縫合されるようになっている。また、前脇下マチ部(５Ａ)は前身頃(１)のアームホール(４)の下半部と前袖(３Ａ)の身頃側端部とに縫合されるようになっている。前後脇下マチ部(５Ｆ)(５Ｂ)は脇縫合線(６)に連続する状態で縫合して一体化してある。この結果、後脇下マチ部(５Ｂ)は前脇下マチ部(５Ａ)よりも広い面積に形成されることになる。
【００１２】
そして、前後の脇下マチ部(５Ｆ)(５Ｂ)を構成しているマチ布は、それぞれ伸縮性に富むニット素材で形成してあり、前脇下マチ部(５Ｆ)は腕の上げ下げ時での運動性を阻害しないように上下方向に伸縮するように配置してあり、後脇下マチ部(５Ｂ)は腕を水平方向(左右方向)に動かした際での運動性を阻害しないように左右方向に伸縮するように配置してある。
【００１３】
このように構成した作業用ユニフォーム上衣では、袖(３)とアームホール(４)との接合部分に２ピースからなるマチ布(５)を配置し、前身頃(１)と袖(３)との間に配置する前脇下マチ部(５Ｆ)よりも後身頃(２)と袖(３)との間に配置する後脇下マチ部(５Ｂ)を大きく形成するとともに、前脇下マチ部(５Ｆ)を上下方向(縦方向)に伸縮し易く、後脇下マチ部(５Ｂ)を左右方向(横方向)に伸縮し易く形成していることから、作業時に腕を上下に動かしたり、前後(水平方向)に動かしたりした際に、マチ布(５)がその動きを阻害することなく確実に追随伸縮することになるから、運動性を損なうことはない。
【００１４】
また、マチ布が伸縮性に富むニット素材で構成してあるから、マチ布としての面積が小さくても、腕の動きに十分追随して伸縮することができることになるから、デザイン性を損なうことなく、運動性を確保することができる。
【００１５】
上記の実施形態では、後身頃(２)を肩パーツ(２Ｓ)と中央パーツ(２Ｃ)とこの中央パーツ(２Ｃ)の左右に位置する脇パーツ(２Ｌ)(２Ｒ)とで形成したが、後身頃(２)は１パーツで形成してもよい。また。前述の実施形態では、袖(３)を前袖(３Ｆ)と後袖(３Ｂ)とで形成しているが、袖(３)は１パーツで形成してもよい。
【産業上の利用可能性】
【００１６】
本発明は、着用時に腕を大きく動かすような衣料の袖付け部分に利用することができる。
【図面の簡単な説明】
【００１７】
【図１】本発明に係る作業用ユニフォーム上衣の正面図である。
【図２】本発明に係る作業用ユニフォーム上衣の背面図である。
【図３】アームホール部に配置したマチ布の展開図である。
【符号の説明】
【００１８】
１…前身頃、２…後身頃、３…袖、４…アームホール、５…マチ布、５Ｆ…前脇下マチ部、５Ｂ…後脇下マチ部。
【図１】
2006002306.tif 000003
【図２】
2006002306.tif 000004
【図３】
2006002306.tif 000005